(57)【要約】【課題】メンテンナンスを行う時期を報知することが可能な硬貨入出金装置を提供する。【解決手段】硬貨を収納する硬貨収納部と、前記硬貨収納部への搬送経路に設けられ硬貨の異常の有無を識別する硬貨識別部と、前記硬貨識別部で異常と識別された硬貨を前記硬貨収納部への搬送経路から退けるリジェクト部と、自装置に投入された硬貨の個数と、前記硬貨識別部で異常と識別された硬貨の個数とに基づき、異常と識別される硬貨の頻度を算出する算出手段と、前記頻度に応じて報知を行う報知手段と、を備える。【選択図】図５
2015007834.tif 000002
【特許請求の範囲】
【請求項１】
硬貨を収納する硬貨収納部と、
前記硬貨収納部への搬送経路に設けられ硬貨の異常の有無を識別する硬貨識別部と、
前記硬貨識別部で異常と識別された硬貨を前記硬貨収納部への搬送経路から退けるリジェクト部と、
自装置に投入された硬貨の個数と、前記硬貨識別部で異常と識別された硬貨の個数とに基づき、異常と識別される硬貨の頻度を算出する算出手段と、
前記頻度に応じて報知を行う報知手段と、
を備える硬貨入出金装置。
【請求項２】
前記算出手段は、所定期間内に投入された硬貨のうち、前記硬貨識別部で異常と識別された硬貨の個数が占める割合を、前記頻度として算出する請求項１に記載の硬貨入出金装置。
【請求項３】
前記算出手段は、投入された所定個数分の硬貨のうち、前記硬貨識別部で異常と判定された硬貨の個数が占める割合を、前記頻度として算出する請求項１に記載の硬貨入出金装置。
【請求項４】
前記報知手段は、前記頻度が所定の閾値を超える場合に報知を行う請求項１〜３の何れか一項に記載の硬貨入出金装置。
【請求項５】
前記報知手段は、前記頻度の値に応じて報知方法を切り替える請求項１〜４の何れか一項に記載の硬貨入手金装置。
【請求項６】
硬貨を収納する硬貨収納部と、前記硬貨収納部への搬送経路に設けられ硬貨の異常の有無を識別する硬貨識別部と、前記硬貨識別部で異常と識別された硬貨を前記硬貨収納部への搬送経路から退けるリジェクト部と、を備える硬貨入出金装置のコンピュータを、
自装置に投入された硬貨の個数と、前記硬貨識別部で異常と識別された硬貨の個数とに基づき、異常と識別される硬貨の頻度を算出する算出手段と、
前記頻度に応じて報知を行う報知手段と、
して機能させるためのプログラム。
【発明の詳細な説明】
【技術分野】
【０００１】
本発明の実施形態は、硬貨入出金装置及びプログラムに関する。
【背景技術】
【０００２】
従来、ＰＯＳ端末等の電子機器に接続して使用するのに適した硬貨入出金装置が知られている。係る硬貨入出金装置は、投入口から投入された硬貨を筐体内へ搬送し、選別部で金種別に選別して収納庫に収納し、ＰＯＳ端末等からの払出し指示に基づいて収納庫から硬貨を払出口へ払い出すものである。また、従来の硬貨入出金装置では、搬送路上に硬貨の異常を検知するためのセンサ類が設けられている。硬貨入出金装置は、センサ類での検知結果に基づいて、正常な硬貨を上述のように収納庫へ収納し、異常を検知した硬貨については、払い出された釣銭を受け止める受皿などへリジェクトする。
【０００３】
ところで、上記した硬貨の異常を検知するためのセンサ類は、汚れの付着や経年劣化等の理由により検知精度が低下する。検知精度が低下すると、正常な硬貨を異常な硬貨と誤判定する可能性があり、業務の進行を妨げる要因となる。そのため、硬貨入出金装置のメンテンナンスを行う時期を報知することが可能な技術が求められている。
【発明の概要】
【発明が解決しようとする課題】
【０００４】
本発明が解決しようとする課題は、メンテンナンスを行う時期を報知することができる硬貨入出金装置及びプログラムを提供することである。
【課題を解決するための手段】
【０００５】
実施形態の硬貨入出金装置は、硬貨収納部と、硬貨識別部と、リジェクト部と、算出手段と、報知手段とを備える。硬貨収納部は、硬貨を収納する。硬貨識別部は、前記硬貨収納部への搬送経路に設けられ硬貨の異常の有無を識別する。リジェクト部は、前記硬貨識別部で異常と識別された硬貨を前記硬貨収納部への搬送経路から退ける。算出手段は、自装置に投入された硬貨の個数と、前記硬貨識別部で異常と識別された硬貨の個数とに基づき、異常と識別される硬貨の頻度を算出する。報知手段は、前記頻度に応じて報知を行う。
【図面の簡単な説明】
【０００６】
【図１】図１は、実施形態の硬貨入出金装置の正面側の外観を示す斜視図である。
【図２】図２は、実施形態の硬貨入出金装置の内部構造を示す図である。
【図３】図３は、実施形態のリジェクト部の構造を概略的に示す模式図である。
【図４】図４は、実施形態の受皿の構造を示す（ａ）平面図（ｂ）縦断正面図である。
【図５】図５は、実施形態の硬貨入出金装置の電気的接続示すブロック図である。
【図６】図６は、実施形態の入金処理の流れを示すフローチャートである。
【図７】図７は、実施形態の報知処理の流れを示すフローチャートである。
【発明を実施するための形態】
【０００７】
以下、添付図面を参照して、硬貨入出金装置１の実施形態を説明する。また、本実施形態では、スーパーマーケット等の店舗で使用されるＰＯＳ端末（不図示）に接続されて用いられる場合を例に説明する。
【０００８】
図１は、硬貨入出金装置１の正面側の外観を示す斜視図である。図１には、オペレータにとっての手前側つまりオペレータが対向する側を手前に、オペレータにとっての奥側を奥にして示してある。以降、図面を用いた説明での上下、左右、手前、奥、正面等の表現は、オペレータが対面する面を正面としたときのものである。
【０００９】
硬貨入出金装置１は、硬貨Ｃ（図３参照）の入出金を行う入出金ユニット２と、この入出金ユニット２を引き出し可能に収容保持する筐体３と、各種メッセージを表示するための表示ユニットや、自装置の状態を発光色等で表すことが可能なインジケータ等を備える表示器４と、各種操作を行うための操作キーを有する操作パネル５と、ブザー音を発するブザー６（図５参照）とを備えている。
【００１０】
図２は、硬貨入出金装置１の内部構造を示す図である。入出金ユニット２は、硬貨入出金装置１の前部に位置し硬貨を受け入れる硬貨受入部１１と、硬貨受入部１１によって受け入れた硬貨Ｃを硬貨入出金装置１の後部へ向けて搬送する硬貨搬送部１２と、硬貨搬送部１２によって搬送された硬貨Ｃを金種別に選別する硬貨選別部１３と、硬貨選別部１３によって選別された硬貨Ｃを金種別に収納する硬貨収納部１４と、硬貨収納部１４に収納された硬貨Ｃを払い出す硬貨払出部１５と、を備えている。
【００１１】
硬貨受入部１１は、硬貨投入口２１と、投入センサ２２と、投入ベルト２３と、投入モータ２４（図５参照）と、投入プーリ２５とを備えている。
【００１２】
硬貨投入口２１は、上方に開口しており、複数枚の硬貨Ｃの投入を許容する。投入センサ２２は、硬貨投入口２１から投入された硬貨を光電的に検知するものであって、複数組設けられている。投入ベルト２３は、硬貨受入部１１の底部を形成し、投入モータ２４の駆動により回転して、投入された硬貨Ｃを硬貨入出金装置１の内部へと搬送するものである。そして、投入プーリ２５は、投入ベルト２３の途中に当該投入ベルト２３と所定間隔をあけて対向し、投入ベルト２３と同方向に回転することで、投入ベルト２３によって搬送される硬貨を１枚ずつ分離して送り出すものである。
【００１３】
硬貨搬送部１２は、搬送ベース２６と、搬送ベルト２７と、搬送モータ２８（図５参照）と、硬貨識別部２９と、リジェクト部３０とを備えている。
【００１４】
搬送ベース２６は、投入ベルト２３の硬貨搬送方向下流側で投入ベルト２３によって搬送された硬貨Ｃを受ける位置から、奥へと延出して設けられている。搬送ベルト２７は、断面が円形状に形成されたゴム製のエンドレスベルトであり、図示しない複数のプーリに掛け渡されて、硬貨受入部１１から硬貨選別部１３まで延在し、搬送ベース２６の上方かつ搬送ベース２６に硬貨Ｃを押し付ける位置に配されている。このような搬送ベルト２７は、搬送モータ２８の駆動により回転することで、硬貨Ｃを搬送する。硬貨Ｃは、搬送ベルト２７と搬送ベース２６とに挟まれ、搬送ベルト２７の回転に伴って搬送ベース２６の表面に押し付けられながら搬送されて、硬貨選別部１３へ到る。
【００１５】
硬貨識別部２９は、搬送ベース２６に設けられて、硬貨Ｃの材質を識別するセンサ（不図示）や直径を識別するセンサ（不図示）を備え、材質や直径から硬貨Ｃの金種を判別するものである。これらのセンサは、磁気センサであり、コイルと、このコイルに接続された発振回路と、この発振回路に接続された整流回路とを有している。なお、硬貨識別部２９に備えるセンサとしては、孔の有無や厚さ、反射率、凹凸形状等を識別するものがあってもよい。
【００１６】
コイルに硬貨Ｃが接近すると、コイルのインピーダンスが変化し、これに伴い発振回路の発振レベルが変化する。整流回路は、発振回路の出力波形をデジタル信号に対応する波形に整流して、後述の制御部９０（図５参照）に出力する。発振レベルの変化量は、材質センサでは硬貨Ｃの材質、直径センサでは硬貨Ｃの直径によって、異なるように設定されている。また、硬貨Ｃの孔の有無や厚さ、反射率、凹凸形状等を識別するセンサにおける発振レベルの変化量は、硬貨Ｃの孔の有無や、硬貨Ｃの厚さ、硬貨Ｃの反射率、硬貨Ｃの凹凸形状によって、異なるように設定されている。
【００１７】
図３は、リジェクト部３０の構造を概略的に示す模式図である。リジェクト部３０は、図３（ａ）に示すように、リジェクトシャッタ３１と、シャッタ開閉ソレノイド３２（図５参照）と、スライダ３３とを備えている。
【００１８】
リジェクトシャッタ３１は、リジェクト孔２６ａを開閉するものである。リジェクト孔２６ａは、搬送ベース２６の硬貨搬送方向下流側に形成された孔であって、最大径の硬貨Ｃが落下しうる大きさに形成されている。シャッタ開閉ソレノイド３２は、リジェクトシャッタ３１を開閉駆動させるものである。シャッタ開閉ソレノイド３２は、制御部９０の制御に応じてリジェクトシャッタ３１を開状態とし、リジェクト孔２６ａから硬貨Ｃを落下させることで、当該硬貨Ｃを硬貨収納部１４への搬送経路（搬送ベース２６）から退ける。
【００１９】
スライダ３３は、例えば図３（ｂ）に示すように断面がＶ字型の樋状の部材であって、一端をリジェクト孔２６ａの下に位置させ、他端を受皿６５に連通させており、リジェクト孔２６ａ側が高く、受皿６５側が低くなるよう、傾斜させて設けられている。このようなスライダ３３により、リジェクト孔２６ａから落下した硬貨Ｃは、受皿６５まで運ばれる。
【００２０】
図２に戻り、硬貨選別部１３は、選別ベース４１と、選別ベルト４２と、選別モータ４３（図５参照）とを備えている。
【００２１】
選別ベース４１は、搬送ベース２６の硬貨搬送方向下流側から左方向へと延出し、搬送ベース２６と略Ｌ字型をなすよう配されている。選別ベース４１には、硬貨搬送方向下流に向かうに従い孔幅寸法が順次拡大する金種毎の選別孔４１ａが形成されている。硬貨選別搬送方向で隣り合う選別孔４１ａ同士は相互に連続して形成されており、外見上、一つの孔を形成している。硬貨選別部１３では、硬貨Ｃが搬送されて、所定の幅の選別孔４１ａに到達した際に、その硬貨Ｃが硬貨収納部１４に落下する。
【００２２】
選別ベルト４２は、ゴム製のエンドレスベルトであり、図示しない複数のプーリに掛け渡されて、選別ベース４１上に延在し、選別ベース４１に硬貨Ｃを押し付ける位置に配されている。このような選別ベルト４２は、選別モータ４３の駆動により回転することで、硬貨Ｃを搬送する。硬貨Ｃは、選別ベルト４２と選別ベース４１とに挟まれ、選別ベルト４２の回転に伴って選別ベース４１の表面に押し付けられながら搬送されて、硬貨収納部１４へ到る。
【００２３】
硬貨収納部１４は、選別孔４１ａから落下する硬貨Ｃを受ける位置に配置されており、仕切板５１によって仕切られた金種毎の収納室５２と、第１計数センサ５３とを備えている。収納室５２は、対応する選別孔４１ａに連通しており、選別孔４１ａから落下した硬貨Ｃを金種別に収納する。第１計数センサ５３は、収納室５２に落下する硬貨Ｃの個数を金種毎に数えるものである。
【００２４】
硬貨払出部１５は、払出ベルト６１と、払出モータ６２（図５参照）と、払出口６３と、第２計数センサ６４と、受皿６５と、硬貨検知センサ６６（図４参照）とを備えている。払出ベルト６１は、複数のプーリ（不図示）に掛け渡されたエンドレスベルトであって、各収納室５２の底部に設けられており、払出モータ６２によって駆動されて回転することによって、硬貨収納部１４の奥側から手前側へ向かって硬貨Ｃを搬送する。払出口６３は、払出ベルト６１によって搬送されてきた硬貨Ｃを払い出す口である。また、払出口６３の付近には、払出ベルト６１によって搬送された硬貨Ｃの個数を数えるための第２計数センサ６４が設けられている。制御部９０は、ＰＯＳ端末等からの指示に応じて、払出ベルト６１（払出モータ６２）を駆動し、金種毎に第２計数センサ６４でカウントしながら指示された枚数分だけ硬貨Ｃを出金する。
【００２５】
受皿６５は、払出口６３から払い出された硬貨Ｃを受け止めるものである。図４は、受皿６５の構造を示す（ａ）平面図（ｂ）縦断正面図である。受皿６５は、平坦部７１と、斜面部７２と、スリット７３とを有している。
【００２６】
平坦部７１は、受皿６５の底を形成する部分で、略平坦な面である。斜面部７２は、平坦部７１を囲む斜面であって、平坦部７１に近いほど低く、また払出口６３から平坦部７１へ向かって低くなるよう形成されており、払出口６３から払い出された硬貨Ｃを平坦部７１へと案内する。スリット７３は、一対で平坦部７１を幅方向に挟んで対向するように、斜面部７２の下端部に、硬貨Ｃの厚み程度の高さをもたせて、形成されている。
【００２７】
硬貨検知センサ６６は、対をなす発光部と受光部とを有している。発光部は、斜面部７２の硬貨Ｃを案内する面の裏面側に、発した光が進む道筋と一対のスリット７３を結ぶ仮想線とが合うように配される。受光部は、発光部が発してスリット７３から出て平坦部７１に沿って進んで一対のスリット７３から入った光を受光する位置に配される。これにより、硬貨検知センサ６６の発光部と受光部とは、一対のスリット７３を挟んで対向する。
【００２８】
このような硬貨検知センサ６６は、発光部が発した光を受光部が受光することによって、平坦部７１に硬貨Ｃが存在しないと判断し、発光部が発した光を受光部が受光しなければ、平坦部７１に沿って進む光を遮るもの即ち硬貨Ｃが存在すると判断する。ここで、スリット７３及び硬貨検知センサ６６は、受皿６５に複数対設けられ、図４（ａ）では、３対図示している。
【００２９】
図５は、硬貨入出金装置１の電気的接続を示すブロック図である。硬貨入出金装置１は、記憶部８０及び制御部９０を備えている。記憶部８０は、フラッシュメモリやＨＤＤ等により構成されて情報を書き換え可能に記憶する。記憶部８０は、例えば、ＣＰＵが実行する各種プログラムや、硬貨識別部２９の整流回路による出力値との比較に用いる正貨の値等の各種データを記憶する。
【００３０】
制御部９０は、ＣＰＵ（Central  Processing  Unit）、ＲＯＭ（Read  Only  Memory）、ＲＡＭ（Random  Access  Memory）、Ｉ／Ｏ機器制御部、及び通信Ｉ／Ｆ（いずれも不図示）等から構成される。ＲＯＭは、ＣＰＵが実行する各種プログラムや各種データを記憶するものである。ＲＡＭは、ＣＰＵが各種プログラムを実行する際に一時的にデータやプログラムを記憶するものである。
【００３１】
制御部９０は、記憶部８０又はＲＯＭに記憶された各種プログラムと協働することで、硬貨入出金装置１の各部を制御する。また、制御部９０は、通信Ｉ／Ｆを介してＰＯＳ端末に直接あるいは間接的に接続されて、ＰＯＳ端末からの払出し指示等を受信する。また、制御部９０は、記憶部８０又はＲＯＭに記憶された各種プログラムと協働することで、硬貨識別処理部９１、リジェクト頻度算出部９２及び報知制御部９３の各機能部を実現する。
【００３２】
硬貨識別処理部９１は、硬貨識別部２９の整流回路による出力値と上述の正貨の値とを比較し硬貨Ｃが正貨か否かを識別する硬貨識別処理を実行する。出力値が正貨の値と異なる場合、硬貨識別処理部９１は、その硬貨Ｃは偽貨であると識別する。制御部９０では、硬貨識別処理部９１での偽貨の判定に応じて、シャッタ開閉ソレノイド３２を駆動し、リジェクトシャッタ３１を開状態とすることで、偽貨と識別された硬貨Ｃをリジェクト孔２６ａから落下させるリジェクト処理を実行する。
【００３３】
リジェクト頻度算出部９２は、投入された硬貨Ｃの個数と、硬貨識別処理部９１で偽貨と識別された硬貨Ｃの個数とに基づき、偽貨と識別される硬貨Ｃの頻度をリジェクト頻度として算出する。具体的には、リジェクト頻度算出部９２は、所定期間（例えば１週間等）内に投入された硬貨Ｃの全個数のうち、硬貨識別処理部９１で偽貨と識別された硬貨Ｃの個数が占める割合を、リジェクト頻度として算出する。
【００３４】
なお、リジェクト頻度の算出方法は上記例に限らないものとする。例えば、投入された所定個数分（例えば１０００個等）の硬貨Ｃのうち、硬貨識別処理部９１で偽貨と識別された硬貨Ｃの個数が占める割合を、リジェクト頻度として算出してもよい。ここで、投入された硬貨Ｃの個数は、例えば、硬貨識別処理部９１が行った正偽の識別回数や、第１計数センサ５３の各々で計数された硬貨Ｃの個数と硬貨識別処理部９１で偽貨と判定された硬貨Ｃの個数との合計値等から特定することができる。
【００３５】
報知制御部９３は、リジェクト頻度算出部９２で算出されたリジェクト頻度が、所定の閾値を上回るか否かを判定する。ここで、閾値は、例えば操作パネル５等を介して任意の値を設定することが可能である。なお、閾値には、通常の動作時に算出されるリジェクト頻度（通常頻度）より大きな値（例えば、２倍や３倍の値）が設定されるものとする。
【００３６】
ところで、リジェクト頻度算出部９２で算出されるリジェクト頻度が上記閾値を超えるような場合、硬貨識別部２９が有するセンサの汚れや、搬送ベルト２７の劣化等、硬貨搬送部１２の異常が要因となる可能性がある。この場合、通常の動作時では正貨と判定される硬貨Ｃが偽貨と誤判定される可能性があるため、結果として業務の進行を妨げる要因となる。
【００３７】
そこで、報知制御部９３は、リジェクト頻度算出部９２で算出されたリジェクト頻度が閾値を超える場合に、自装置のメンテンナンスが必要な旨等を表示器４やブザー６等を用いて報知する。これにより、メンテナンスを行う時期をオペレータに報知することができるため、自装置の清掃や部品交換等の実行をオペレータに促すことができる。
【００３８】
なお、リジェクト頻度が閾値以下の場合には、オペレータへの報知は行わない形態としてもよいし、各リジェクト頻度に応じた報知を行う形態としてもよい。例えば、リジェクト頻度が閾値以下の場合、正常状態であることを表示器４のインジケータ等を用いて報知してもよい。また、閾値は多段に設定してもよく、設定された閾値の値（レベル）に応じて、表示するメッセージや、インジケータの発光色・発光パターン、ブザー音等の報知方法を切り替えてもよい。
【００３９】
また、図示しない通信Ｉ／Ｆを介して、報知内容やリジェクト頻度の算出結果等をＰＯＳ端末に出力する形態としてもよい。この場合、ＰＯＳ端末では、受信したリジェクト頻度に基づき、当該リジェクト頻度の時系列な変化をグラフ化して表示する形態としてもよい。これにより、リジェクト頻度の傾向を確認することができるため、硬貨入出金装置１の状態を容易に把握することができる。
【００４０】
以下、商品販売の手順に沿って硬貨入出金装置１の動作について説明する。まず、図６を参照して、硬貨入出金装置１が行う入金処理について説明する。ここで、図６は、入金処理の流れを示すフローチャートである。
【００４１】
まず、制御部９０は、硬貨Ｃが硬貨投入口２１に投入されるまで待機する（ステップＳ１１；Ｎｏ）。オペレータが硬貨Ｃを硬貨投入口２１へ投入すると、制御部９０は、投入センサ２２からの信号を受信することにより硬貨Ｃが硬貨投入口２１へ投入されたと判定する（ステップＳ１１；Ｙｅｓ）。続いて、制御部９０は、投入モータ２４により投入ベルト２３を回転駆動させ、さらに搬送モータ２８に搬送ベルト２７を回転駆動させることで、硬貨Ｃを搬送する（ステップＳ１２）。
【００４２】
搬送ベース２６上を搬送される硬貨Ｃが硬貨識別部２９上を通過する際、硬貨識別処理部９１は、硬貨識別部２９の整流回路による出力値と正貨の値とを比較する硬貨識別処理を実行し（ステップＳ１３）、硬貨Ｃの正偽の判定（識別）を行う（ステップＳ１４）。制御部９０は、ステップＳ１４で正貨と識別された場合（ステップＳ１４；Ｙｅｓ）、正貨と識別された硬貨Ｃを硬貨選別部１３及び硬貨収納部１４に送ることで、金種別に収納室５２に収納させ（ステップＳ１５）、ステップＳ１７に移行する。
【００４３】
一方、ステップＳ１４で偽貨と識別された場合（ステップＳ１４；Ｎｏ）、制御部９０は、シャッタ開閉ソレノイド３２によりリジェクトシャッタ３１を開状態とすることで、偽貨と識別された硬貨Ｃのリジェクト処理を行った後（ステップＳ１６）、ステップＳ１７に移行する。
【００４４】
続いて、制御部９０は、投入センサ２２からの信号や、硬貨識別部２９による出力値に基づき、投入された全ての硬貨Ｃを識別したか否かを判定する（ステップＳ１７）。制御部９０は、未識別の硬貨Ｃが存在する場合（ステップＳ１７；Ｎｏ）、ステップＳ１２に戻る。また、制御部９０は、投入された全ての硬貨Ｃの識別が完了した場合（ステップＳ１７；Ｙｅｓ）、ステップＳ１８に移行する。
【００４５】
次いで、制御部９０は、投入された全ての硬貨Ｃを識別するまでに、ステップＳ１４で偽貨と判定された硬貨Ｃが存在したか否かを判定する（ステップＳ１８）。ここで、偽貨が存在した場合（ステップＳ１８；Ｙｅｓ）、制御部９０は、偽貨に代わる硬貨Ｃが硬貨投入口２１に再投入されるまで待機する（ステップＳ１９；Ｎｏ）。なお、偽貨が存在した場合には、上位ホスト（ＰＯＳ端末）に通知するとともに、その旨を表示器４に表示したり、ブザー６を鳴動させたりすることで、オペレータへの報知を行うものとする。
【００４６】
続いて、制御部９０は、投入センサ２２からの信号により硬貨Ｃが硬貨投入口２１へ投入されたと判定すると（ステップＳ１９；Ｙｅｓ）、ステップＳ１３に戻ることで、投入された硬貨Ｃの硬貨識別処理を実行させる。
【００４７】
また、ステップＳ１８において、偽貨が存在しないと判定した場合には（ステップＳ１８；Ｎｏ）、制御部９０は、ステップＳ１１に戻り、新たな硬貨Ｃが投入されるまで待機する。
【００４８】
次に、図７を参照して、硬貨入出金装置１が行う報知処理について説明する。ここで、図７は、報知処理の流れを示すフローチャートである。
【００４９】
まず、リジェクト頻度算出部９２は、硬貨識別処理部９１での識別結果に基づき、リジェクト頻度を算出する（ステップＳ２１）。ここで、リジェクト頻度の算出を行うタイミングは特に問わず、所定の時間間隔毎に行う形態としてもよいし、上記した入金処理のバックグラウンドで硬貨識別処理が行われる毎に行う形態としてもよい。
【００５０】
続いて、報知制御部９３は、ステップＳ２１で算出されたリジェクト頻度が、所定の閾値を上回るか否かを判定する（ステップＳ２２）。リジェクト頻度が閾値以下と判定した場合には（ステップＳ２２；Ｎｏ）、ステップＳ２１に再び戻る。なお、報知制御部９３は、自装置が正常状態にあることを表示器４のインジケータ等を用いて報知してもよい。
【００５１】
一方、ステップＳ２２において、リジェクト頻度が閾値を超えると判定した場合（ステップＳ２２；Ｙｅｓ）、報知制御部９３は、メンテンナンスが必要な旨等の自装置の状態を表示器４やブザー６等を用いて報知し（ステップＳ２３）、本処理を終了する。なお、閾値が多段に設定されている場合には、リジェクト頻度が超えた閾値のレベルに応じて、報知方法を切り替えてもよい。
【００５２】
硬貨入出金装置１のオペレータは、報知制御部９３からの報知に応じて、硬貨入出金装置１の清掃や部品交換等のメンテンナンスを行う。なお、メンテナンス後は、リジェクト頻度算出部９２が算出したリジェクト頻度や、当該リジェクト頻度の算出に係る期間、硬貨Ｃの個数をリセットする形態としてもよい。また、メンテナンスの終了後、リジェクト頻度算出部９２が行うリジェクト頻度の算出については、当該算出に係る期間や硬貨Ｃの個数を、デフォルトの設定値より短くするよう制御してもよい。これにより、メンテナンスの効果の有無を効率的に確認することができるため、利便性を向上させることができる。
【００５３】
以上のように、本実施形態の硬貨入出金装置１によれば、投入された硬貨Ｃの個数と、偽貨と識別された硬貨Ｃの個数とに基づいてリジェクト頻度を算出する。そして、算出されたリジェクト頻度に応じた報知を行うことで、自装置の状態をオペレータに報知する。これにより、硬貨入出金装置１のメンテンナンスを行う時期をオペレータに報知することができるため、硬貨入出金装置１の維持・管理を効率的に行うことができる。
【００５４】
以上、本発明の実施形態を説明したが、上記実施形態は、例として提示したものであり、発明の範囲を限定することは意図していない。上記実施形態は、その他の様々な形態で実施されることが可能であり、発明の要旨を逸脱しない範囲で、種々の省略、置き換え、変更を行うことができる。上記実施形態やその変形は、発明の範囲や要旨に含まれるとともに、特許請求の範囲に記載された発明とその均等の範囲に含まれる。
【００５５】
例えば、本実施形態の硬貨入出金装置１を、客の操作により商品の登録及び決済処理を実行可能なセルフ式のＰＯＳ端末（セルフチェックアウト装置）に接続して用いてもよい。
【００５６】
また、上記実施形態では、偽貨と識別された硬貨Ｃを受皿６５にリジェクトする形態としたが、リジェクト先はこれに限らないものとする。例えば、偽貨と識別された硬貨Ｃを受け止めるための専用の受皿及び当該受皿への搬送路を別途設け、当該受皿にリジェクトする形態としてもよい。
【００５７】
上記実施形態の硬貨入出金装置１で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００５８】
また、上記実施形態の硬貨入出金装置１で実行されるプログラムを、インターネット等のネットワークに接続されたコンピュータ上に格納し、ネットワーク経由でダウンロードさせることにより提供するように構成してもよい。また、上記実施形態の硬貨入出金装置１で実行されるプログラムをインターネット等のネットワーク経由で提供又は配布するように構成してもよい。
【符号の説明】
【００５９】
１  硬貨入出金装置
１４  硬貨収納部
２９  硬貨識別部
３０  リジェクト部
９１  硬貨識別処理部
９２  リジェクト頻度算出部
９３  報知制御部
【先行技術文献】
【特許文献】
【００６０】
【特許文献１】特開平１１−１３４５３２号公報
【図１】
2015007834.tif 000003
【図２】
2015007834.tif 000004
【図３】
2015007834.tif 000005
【図４】
2015007834.tif 000006
【図５】
2015007834.tif 000007
【図６】
2015007834.tif 000008
【図７】
2015007834.tif 000009